(57)【特許請求の範囲】
【請求項１】
二重螺旋状に配置された２つのトラックにそれぞれデータが記録され、該２つのトラックに対向するグルーブ側部にのみ該２つのトラックに共通のアドレス信号が記録されているディスクを記録再生するディスク装置において、トラックジャンプ手段と、アドレス検出手段とを有し、隣のトラックにジャンプを行い、該アドレス検出手段出力の変化の有無にて、該二重螺旋状に配置された２つのトラックのうち、どちらのトラックをトレースしているかを判断することを特徴とするディスク装置。
【請求項２】
二重螺旋状に配置された２つのトラックにそれぞれデータが記録され、該２つのトラックに対向するグルーブ側部にのみ該２つのトラックに共通のアドレス信号が記録されているディスクを記録再生するディスク装置において、トラックジャンプ手段と、アドレス検出手段とを有し、ポーズ状態において１本ジャンプを行い、１本ジャンプを行った時の前記アドレス検出手段出力の変化にて現在のトラック位置が正しいかどうか判定し、正しい方のトラックをトレースしていた場合に、もう１本ジャンプを行うことを特徴とするディスク装置。
【請求項３】
１本ジャンプを内側に行うことによって、誤ったトラックをトレースしていたことが判明した場合に、１本ジャンプ後そのままトレースを続行することを特徴とする請求項２のディスク装置。
【請求項４】
二重螺旋状に配置された２つのトラックにそれぞれデータが記録され、該２つのトラックに対向するグルーブ側部にのみ該２つのトラックに共通のアドレス信号が記録されているディスクを記録再生するディスク装置において、トラック上のビームスポットのどの部分から該アドレス信号が検出されたかを判定する手段を有し、該二重螺旋状に配置された２つのトラックのうち、どちらのトラックをトレースしているかを判定する第１のトラック判定手段と、トラックジャンプ手段と、アドレス検出手段とを有し、隣のトラックにジャンプを行い、該アドレス検出手段出力の変化の有無にて、該二重螺旋状に配置された２つのトラックのうち、どちらのトラックをトレースしているかを判定する第２のトラック判定手段を有することを特徴とするディスク装置。
【発明の詳細な説明】
【０００１】
【発明の属する技術分野】
本発明は、二重螺旋状に配置された２つのトラックにそれぞれデータが記録され、該２つのトラックに対向するグルーブ側部にのみ該２つのトラックに共通のアドレス信号が記録されているディスクを記録再生するディスク装置に関するものである。
【０００２】
【従来の技術】
ミニディスク（以下、ＭＤという）等の記録再生装置では、ディスク上の位置を示すアドレス情報はデジタル音楽データ等とは、別の方式であらかじめ記録されている。ピックアップは、デジタル音楽データとともにこのアドレス情報も読んでおり、デジタル音楽データが読めなくても、どこの位置にあるかがリアルタイムで分かるようになっている。ＭＤの場合、録音用メディアには、図４に示すように、あらかじめ「プリグルーブ」と呼ばれる、ガードレールに挟まれたような溝が全周に彫り込まれており、この溝のうねりによってアドレスを周波数変調している。ディスク上の位置を示すアドレス情報は、プリグルーブとは別に、デジタル音楽データの頭にも含まれており、記録時にデジタル音楽データと一緒にディスクに記録する。
しかしながら、未記録状態のディスクや記録データを読むことができない場合、または読めてもデータが信用できない場合には、プリグルーブによってディスクの位置を知るしかない。
【０００３】
ところで、ディスクの１枚当たりに入るデータ量を増やそうとした場合、トラック間の距離を小さくしてトラック本数を増やす必要がある。しかし、前述したアドレス情報は溝のうねりとして記録されているため、あまりトラック間の距離を縮めることができない。そこで、図１に示すように、デジタルデータを記録するトラックを２本用意してそれらをディスク上に二重螺旋状にした上で、トラックの片側だけをうねらせてアドレス情報を記録するという方法が用いられる。
片方しかアドレス情報が記録されていなくても、ピックアップのビームの左右どちらかの部分でアドレス情報を読むことができる。
【０００４】
【発明が解決しようとする課題】
しかしながら、ディスクのデータ容量を増やすために片方のトラックにしかアドレス情報を記録しない方式を採用した場合、同一アドレスを持ったトラックが２本存在することになる。アドレス情報は、２本のトラックに共通であるので、アドレス情報の中には、二重螺旋のどちらかのトラックかという情報は持たない。
従って、アドレス情報を見ただけでは現在どちらのトラックをトレースしているのかを判別することができないため、アドレス情報の信号が左右どちらから読めるかをＩＣや回路等のハードウェアを用いて検出するしかなかった。
これは、ディスク装置を構成する部品が増え、コスト高や基板面積の増大を招くという問題がある。
【０００５】
本発明は、未記録状態のディスクや、記録信号の品質が悪くデジタル音楽データ等と共に記録されているアドレス情報を読むことができない、または、読めても信用できない場合に、現在トレースしているトラックが二重螺旋のどちらのトラックかの検出を、専用のハードウェアを用いずに行うことを目的とする。
【０００６】
【課題を解決するための手段】
請求項１の発明は、二重螺旋状に配置された２つのトラックにそれぞれデータが記録され、該２つのトラックに対向するグルーブ側部にのみ該２つのトラックに共通のアドレス信号が記録されているディスクを記録再生するディスク装置において、トラックジャンプ手段と、アドレス検出手段とを有し、隣のトラックにジャンプを行い、該アドレス検出手段出力の変化の有無にて、該二重螺旋状に配置された２つのトラックのうち、どちらのトラックをトレースしているかを判断することを特徴とするディスク装置に関し、二重螺旋の真ん中にアドレスが記録されていて、トレース方向から見て左側をＡトラック，右側をＢトラックとすると、１本のトラックジャンプを行ってみて、アドレスが約１周分変化すれば、現トラックジャンプ前はＡトラックをトレースしていたと判断し、アドレスが同じかほとんど変化しなければ、トラックジャンプ前はＢトラックをトレースしていたと判断する。
【０００７】
請求項２の発明は、二重螺旋状に配置された２つのトラックにそれぞれデータが記録され、該２つのトラックに対向するグルーブ側部にのみ該２つのトラックに共通のアドレス信号が記録されているディスクを記録再生するディスク装置において、トラックジャンプ手段と、アドレス検出手段とを有し、ポーズ状態において１本ジャンプを行い、１本ジャンプを行った時の前記アドレス検出手段出力の変化にて現在のトラック位置が正しいかどうか判定し、正しい方のトラックをトレースしていた場合に、もう１本ジャンプを行うことを特徴とするディスク装置に関し、ポーズ状態で待機している時に、通常は、例えばＡトラックをトレース中にポーズ位置を過ぎるとＡトラック上のポーズ位置より前に戻す必要があるため、内側に２本ジャンプを行わなければならないが、最初の１本ジャンプによって、現在トレースしている方のトラックが正しいかどうか判断し、正しい方のトラックをトレースしていることを確認した場合に、もう１本ジャンプを行うもので、ポーズ動作と同時に、現在いる方のトラックが正しいかどうか判断することができるディスク装置である。
【０００８】
請求項３の発明は、請求項２のディスク装置において、１本ジャンプを内側に行うことによって、誤ったトラックをトレースしていたことが判明した場合に、１本ジャンプ後そのままトレースを続行することを特徴とするものに関し、１本ジャンプを行ってＡトラックとＢトラックの判別をする時に、１本ジャンプを内側に行うことにより誤ったトラックをトレースしていたことが判明した場合に、ジャンプ後そのままトレースを続行することができるディスク装置である。
【０００９】
請求項４の発明は、二重螺旋状に配置された２つのトラックにそれぞれデータが記録され、該２つのトラックに対向するグルーブ側部にのみ該２つのトラックに共通のアドレス信号が記録されているディスクを記録再生するディスク装置において、トラック上のビームスポットのどの部分から該アドレス信号が検出されたかを判定する手段を有し、該二重螺旋状に配置された２つのトラックのうち、どちらのトラックをトレースしているかを判定する第１のトラック判定手段と、トラックジャンプ手段と、アドレス検出手段とを有し、隣のトラックにジャンプを行い、該アドレス検出手段出力の変化の有無にて、該二重螺旋状に配置された２つのトラックのうち、どちらのトラックをトレースしているかを判定する第２のトラック判定手段を有することを特徴とするディスク装置に関し、ハードウェアで二重螺旋のどちらのトラックをトレースしているか判別することができる場合に、ハードウェアで判別した結果とソフトウェアで判別した結果が一致するかどうかを確認することができるディスク装置である。
【００１０】
【発明の実施の形態】
本発明に係る実施形態を図に基づいて説明すれば、以下の通りである。
本発明の実施形態である二重螺旋トラックを用いて高密度化したＭＤ録音再生機は、図２に示すように、二重螺旋トラックを用いて高密度化した光ディスク（以下、高密度化ＭＤという）１、光ピックアップ２、ＲＦアンプ３、スピンドルモータ４、送りモータ５、モータドライバ６、サーボ制御ＩＣ（以下、サーボＩＣという）７、記録用磁気ヘッド８、システムコントロールマイコン９を備えている。
【００１１】
光ピックアップ２は、記録媒体である高密度化ＭＤ１に光を照射し、高密度化ＭＤ１からの反射光を取り込むヘッドであり、高密度化ＭＤ１に記録されたＲＦ信号変調されたデータを読み出す。ＲＦアンプ３は、光ピックアップ２によって読み出されたＲＦ信号を所定のレベルまで増幅するものである。
また、スピンドルモータ４により、前記高密度化ＭＤ１は、所定の速度で回転させられ、同時に送りモータ５により、前記光ピックアップ２は前記高密度化ＭＤ１の半径方向に移動する。
これら一連の動作により、前記高密度化ＭＤ１に記録されたＲＦ信号が、光ピックアップ２により読み取られる。
【００１２】
ここで、モータドライバ６により、スピンドルモータ４、及び、送りモータ５、及び、光ピックアップ２内のアクチュエータは、それぞれ駆動されるが、モータドライバ６は、サーボＩＣ７により、システムコントロールマイコン９からの制御の下、光ピックアップ２から出射される光が高密度化ＭＤ１上の目標のトラックに追従するなどの動作が正確に行われるように、スピンドルモータ４、及び送りモータ５、及び、アクチュエータをフィードバック制御する。
【００１３】
フィードバック制御は、システムコントロールマイコン９からの制御コマンドに応じて、サーボ制御ＩＣ７が、モータドライバ６の供給電力を制御すると共に、ＲＦアンプ３を経由したＲＦ信号を受けて、光ピックアップ２から射出された光の高密度化ＭＤ１上のトラックへの追従状態などをシステムコントロールマイコン９に与えることで行われている。
【００１４】
次に、高密度化ＭＤ１への信号を記録する動作を説明する。
前記高密度化ＭＤ１への信号記録時には、光ピックアップ２の出力を上げ、高密度化ＭＤ１への光を照射するのとは反対の面から磁気ヘッド８を接触させて、データを記録する。
以上の動作により、本発明の記録再生装置は、データを記録する。
【００１５】
以下、本発明に係るディスク装置によるトラック判別動作を説明する。
ここで、図１に示すように、二重螺旋の真ん中にアドレスが記録されていて、トレース方向から見て左側をＡトラック、右側をＢトラックとする。
今、図３に示すＢトラックをトレースしていたとすると、アドレスはＸが読み出される。
ここで、１本ジャンプするとＡトラックをトレースするようになるが、読み出されるアドレスは、Ｘと同じか１つ進んだアドレスである。
【００１６】
また、Ｘアドレスが読み出されるＡトラックをトレースしていたとすると、１本ジャンプするとＢトラックをトレースするようになるが、読み出されるアドレスは、Ｘ＋αになる。ここで、αは１周分のアドレス差を示している。
１本ジャンプした時、もとのアドレスとの差がαかどうかでＡトラックとＢトラックの判別を行う。
【００１７】
ところで、通常、ディスクが回転してトラックをトレース中にある場所にポーズで待機する場合、アドレスを監視してポーズ位置を過ぎると１本内周ジャンプを行ってトレースする位置を戻している。
二重螺旋状に配置された２つのトラックを有するディスクを記録再生するディスク装置においてポーズを行う場合、例えばＡトラックをトレース中にポーズ位置を過ぎるとＡトラック上のポーズ位置より前に戻す必要があるため、内側に２本ジャンプを行わなければならない。
【００１８】
この時、一度に２本ジャンプを行うのではなく、まず、１本ジャンプを行ってみて、正しい方のトラックをトレースしているか確認した後で、もう１本ジャンプを行うようにする。こうすることにより、ポーズ動作とトラックの確認の両方を同時に行うことができる。もし、ここで、ジャンプ前にトレースしていたトラックが間違っていたことが判明した場合は、１本のジャンプで正しい方のトラックをトレースすることになるのであるから、その後の１本ジャンプは行わない。
【００１９】
また、専用の回路やＩＣ等のハードウェアでＡトラックとＢトラックの判別を行うシステムの場合のように、トラック上のビームスポットのどの部分からアドレス情報が検出されたかを判定する判定手段を有するディスク装置においては、前記判定手段と１本ジャンプを行ってそのときのアドレス変化によりＡトラックとＢトラックの判別を行う判別手段とを併用して、両者が一致するかどうかを確認することによって、より正確にＡトラックとＢトラックの判別を行うことができる。
なお、本実施例では、図１，図３のようにグルーブ部へのデータ記録方法にて説明しているが、ランド部への記録方法に関しても同様に利用できる技術である。
【００２０】
【発明の効果】
請求項１の発明は、専用の回路やＩＣ等のハードウェアを用いずに、二重螺旋のトラックのどちらかをトレースしているかを判別することが可能となるので、装置の部品点数を減らすことができ、装置のコストダウンや部品を実装する基板の面積を小さくすることができる。
【００２１】
請求項２の発明は、ポーズ状態でディスク上のある位置に留まるための処理とトラックの判別処理を同時に行うことができるので、装置の応答性を高めることができる。
【００２２】
請求項３の発明は、トラックの判別処理の途中で誤ったトラックをトレースしていることが判明した場合に、正しいトラックへの復帰が省略できるので装置の応答性を高めることができる。
【００２３】
請求項４の発明は、ハードウェアで二重螺旋のどちらのトラックをトレースしているか判別することができる場合に、ハードウェアで判別した結果とソフトウェアで判別した結果が一致するかどうかを確認することができるので、トラックの判別の正確度を高めることができる。
【図面の簡単な説明】
【図１】本発明の実施例の高密度化ＭＤディスク上に二重螺旋状に配置されたトラックとピックアップのビームとの関係を示した図である。
【図２】本発明の実施例のディスク装置の全体構成図である。
【図３】トラックジャンプと読み出されるアドレスの関係を示した図である。
【図４】従来のミニディスクのプリグルーブを示した図である。
【符号の説明】
１…高密度ミニディスク（ＭＤ）、２…光ピックアップ、３…ＲＦアンプ、４…スピンドルモータ、５…送りモータ、６…モータドライバ、７…サーボ制御ＩＣ、８…記録用磁気ヘッド、９…システムコントロールマイコン。
【図１】
0003544873.tif 000002
【図２】
0003544873.tif 000003
【図３】
0003544873.tif 000004
【図４】
0003544873.tif 000005